【手続補正書】
【提出日】平成16年9月17日(2004.9.17)
【手続補正１】
【補正対象書類名】特許請求の範囲
【補正対象項目名】全文
【補正方法】変更
【補正の内容】
【特許請求の範囲】
【請求項１】
１以上のオブジェクトのデータを格納するように構成されたデータエリアと、前記オブジェクトを管理する管理情報を格納するように構成された管理エリアを持ち、
前記オブジェクトはＭＰＥＧエンコードされたビデオ情報を含むデータユニットから構成され、前記管理情報は前記オブジェクトの再生方法を管理するオリジナルプログラムチェーン情報を持つように構成され、前記オリジナルプログラムチェーン情報が１以上のプログラム情報および１以上のセル情報を含むように構成され、前記セル情報として前記ビデオ情報のオブジェクトの再生を管理するムービーセル情報が定義され、前記ムービーセル情報が前記オブジェクト内の再生箇所へのアクセスに用いられるエントリポイントに関するエントリポイント情報を含むように構成され、前記エントリポイント情報が前記エントリポイントに関するテキスト情報を含むように構成され、前記ムービーセル情報がムービーセル一般情報を含み、このムービーセル一般情報が該当セルの開始時間情報および該当セルの終了時間情報を含むように構成された情報媒体において、
前記開始時間情報は対応する前記オブジェクトの最初の４つの前記データユニット内に格納され、前記終了時間情報は対応する前記オブジェクトの最後の４つの前記データユニット内に格納され、
前記エントリポイント情報は前記エントリポイントの再生時間情報を含み、前記再生時間情報は９０ｋＨｚ単位の時間ベースと２７ＭＨｚ単位の時間ベースの２種類で計測されるように構成され、
前記オリジナルプログラムチェーン情報で管理されるオリジナルプログラムチェーンの他にユーザ定義プログラムチェーンを持つように構成され、
前記オリジナルプログラムチェーンは前記オブジェクトと前記オリジナルプログラムチェーン情報を持つが前記ユーザ定義プログラムチェーンはそれ自身のオブジェクトは持たず前記オリジナルプログラムチェーンの前記オブジェクトを参照するように構成され、
前記管理情報が、前記セルの再生時間を、この再生時間に対応した前記データユニットを指すポインタに変換するタイムマップ情報を含むように構成されたことを特徴とするデジタル情報媒体。
【請求項２】
１以上のオブジェクトのデータを格納するように構成されたデータエリアと前記オブジェクトを管理する管理情報を格納するように構成された管理エリアを持つ情報媒体であって、前記オブジェクトはＭＰＥＧエンコードされたビデオ情報を含むデータユニットから構成され、前記管理情報は前記オブジェクトの再生方法を管理するオリジナルプログラムチェーン情報を持つように構成され、前記オリジナルプログラムチェーン情報が１以上のプログラム情報および１以上のセル情報を含むように構成され、前記セル情報として前記ビデオ情報のオブジェクトの再生を管理するムービーセル情報が定義され、前記ムービーセル情報が前記オブジェクト内の再生箇所へのアクセスに用いられるエントリポイントに関するエントリポイント情報を含むように構成され、前記エントリポイント情報が前記エントリポイントに関するテキスト情報を含むように構成され、前記ムービーセル情報がムービーセル一般情報を含み、このムービーセル一般情報が該当セルの開始時間情報および該当セルの終了時間情報を含むように構成され、前記開始時間情報は対応する前記オブジェクトの最初の４つの前記データユニット内に格納され、前記終了時間情報は対応する前記オブジェクトの最後の４つの前記データユニット内に格納され、前記エントリポイント情報は前記エントリポイントの再生時間情報を含み、前記再生時間情報は９０ｋＨｚ単位の時間ベースと２７ＭＨｚ単位の時間ベースの２種類で計測されるように構成され、前記オリジナルプログラムチェーン情報で管理されるオリジナルプログラムチェーンの他にユーザ定義プログラムチェーンを持つように構成され、前記オリジナルプログラムチェーンは前記オブジェクトと前記オリジナルプログラムチェーン情報を持つが前記ユーザ定義プログラムチェーンはそれ自身のオブジェクトは持たず前記オリジナルプログラムチェーンの前記オブジェクトを参照するように構成され、前記管理情報が前記セルの再生時間をこの再生時間に対応した前記データユニットを指すポインタに変換するタイムマップ情報を含むように構成されたデジタル情報媒体を用いるものにおいて、
前記情報媒体に前記オブジェクトを記録し、
前記情報媒体に前記管理情報を記録するようにしたことを特徴とするデジタル情報記録方法。
【請求項３】
１以上のオブジェクトのデータを格納するように構成されたデータエリアと前記オブジェクトを管理する管理情報を格納するように構成された管理エリアを持つ情報媒体であって、前記オブジェクトはＭＰＥＧエンコードされたビデオ情報を含むデータユニットから構成され、前記管理情報は前記オブジェクトの再生方法を管理するオリジナルプログラムチェーン情報を持つように構成され、前記オリジナルプログラムチェーン情報が１以上のプログラム情報および１以上のセル情報を含むように構成され、前記セル情報として前記ビデオ情報のオブジェクトの再生を管理するムービーセル情報が定義され、前記ムービーセル情報が前記オブジェクト内の再生箇所へのアクセスに用いられるエントリポイントに関するエントリポイント情報を含むように構成され、前記エントリポイント情報が前記エントリポイントに関するテキスト情報を含むように構成され、前記ムービーセル情報がムービーセル一般情報を含み、このムービーセル一般情報が該当セルの開始時間情報および該当セルの終了時間情報を含むように構成され、前記開始時間情報は対応する前記オブジェクトの最初の４つの前記データユニット内に格納され、前記終了時間情報は対応する前記オブジェクトの最後の４つの前記データユニット内に格納され、前記エントリポイント情報は前記エントリポイントの再生時間情報を含み、前記再生時間情報は９０ｋＨｚ単位の時間ベースと２７ＭＨｚ単位の時間ベースの２種類で計測されるように構成され、前記オリジナルプログラムチェーン情報で管理されるオリジナルプログラムチェーンの他にユーザ定義プログラムチェーンを持つように構成され、前記オリジナルプログラムチェーンは前記オブジェクトと前記オリジナルプログラムチェーン情報を持つが前記ユーザ定義プログラムチェーンはそれ自身のオブジェクトは持たず前記オリジナルプログラムチェーンの前記オブジェクトを参照するように構成され、前記管理情報が前記セルの再生時間をこの再生時間に対応した前記データユニットを指すポインタに変換するタイムマップ情報を含むように構成されたデジタル情報媒体を用いるものにおいて、
前記情報媒体から前記管理情報を再生し、
前記情報媒体から前記オブジェクトを再生するようにしたことを特徴とするデジタル情報再生方法。
【請求項４】
１以上のオブジェクトのデータを格納するように構成されたデータエリアと前記オブジェクトを管理する管理情報を格納するように構成された管理エリアを持つ情報媒体であって、前記オブジェクトはＭＰＥＧエンコードされたビデオ情報を含むデータユニットから構成され、前記管理情報は前記オブジェクトの再生方法を管理するオリジナルプログラムチェーン情報を持つように構成され、前記オリジナルプログラムチェーン情報が１以上のプログラム情報および１以上のセル情報を含むように構成され、前記セル情報として前記ビデオ情報のオブジェクトの再生を管理するムービーセル情報が定義され、前記ムービーセル情報が前記オブジェクト内の再生箇所へのアクセスに用いられるエントリポイントに関するエントリポイント情報を含むように構成され、前記エントリポイント情報が前記エントリポイントに関するテキスト情報を含むように構成され、前記ムービーセル情報がムービーセル一般情報を含み、このムービーセル一般情報が該当セルの開始時間情報および該当セルの終了時間情報を含むように構成され、前記開始時間情報は対応する前記オブジェクトの最初の４つの前記データユニット内に格納され、前記終了時間情報は対応する前記オブジェクトの最後の４つの前記データユニット内に格納され、前記エントリポイント情報は前記エントリポイントの再生時間情報を含み、前記再生時間情報は９０ｋＨｚ単位の時間ベースと２７ＭＨｚ単位の時間ベースの２種類で計測されるように構成され、前記オリジナルプログラムチェーン情報で管理されるオリジナルプログラムチェーンの他にユーザ定義プログラムチェーンを持つように構成され、前記オリジナルプログラムチェーンは前記オブジェクトと前記オリジナルプログラムチェーン情報を持つが前記ユーザ定義プログラムチェーンはそれ自身のオブジェクトは持たず前記オリジナルプログラムチェーンの前記オブジェクトを参照するように構成され、前記管理情報が前記セルの再生時間をこの再生時間に対応した前記データユニットを指すポインタに変換するタイムマップ情報を含むように構成されたデジタル情報媒体を用いるものにおいて、
前記情報媒体から前記管理情報を再生する手段と、
前記情報媒体から前記オブジェクトを再生する手段と
を具備したことを特徴とするデジタル情報再生装置。
【手続補正２】
【補正対象書類名】明細書
【補正対象項目名】０００９
【補正方法】変更
【補正の内容】
【０００９】
この発明の一実施の形態に係るデジタル情報媒体は、１以上のオブジェクトのデータを格納するように構成されたデータエリアと、前記オブジェクトを管理する管理情報を格納するように構成された管理エリアを持つ。ここで、前記オブジェクトはＭＰＥＧエンコードされたビデオ情報を含むデータユニットから構成され、前記管理情報は前記オブジェクトの再生方法を管理するオリジナルプログラムチェーン情報を持つように構成され、前記オリジナルプログラムチェーン情報が１以上のプログラム情報および１以上のセル情報を含むように構成され、前記セル情報として前記ビデオ情報のオブジェクトの再生を管理するムービーセル情報が定義され、前記ムービーセル情報が前記オブジェクト内の再生箇所へのアクセスに用いられるエントリポイントに関するエントリポイント情報を含むように構成され、前記エントリポイント情報が前記エントリポイントに関するテキスト情報を含むように構成され、前記ムービーセル情報がムービーセル一般情報を含み、このムービーセル一般情報が該当セルの開始時間情報および該当セルの終了時間情報を含む。このように構成された情報媒体において、前記開始時間情報は対応する前記オブジェクトの最初の４つの前記データユニット内に格納され、前記終了時間情報は対応する前記オブジェクトの最後の４つの前記データユニット内に格納される。ここで、前記エントリポイント情報は前記エントリポイントの再生時間情報を含み、前記再生時間情報は９０ｋＨｚ単位の時間ベースと２７ＭＨｚ単位の時間ベースの２種類で計測されるように構成される。また、前記オリジナルプログラムチェーン情報で管理されるオリジナルプログラムチェーンの他にユーザ定義プログラムチェーンを持つように構成され、前記オリジナルプログラムチェーンは前記オブジェクトと前記オリジナルプログラムチェーン情報を持つが前記ユーザ定義プログラムチェーンはそれ自身のオブジェクトは持たず前記オリジナルプログラムチェーンの前記オブジェクトを参照するように構成される。そして、前記管理情報が、前記セルの再生時間を、この再生時間に対応した前記データユニットを指すポインタに変換するタイムマップ情報（ＴＭＡＰＩ）を含むように構成される。